(57)【要約】  ＬＴＥシステムにおいてエリア切替時のデータ再送信を指定するための方法及び装置であって、Ｓ＿ｅＮＢが、受信されたＰＤＣＰ−ＳＤＵ  ＳＮを通知するために、ＰＤＣＰ−ＳＤＵ  ＣＮリポートをＴ＿ｅＮＢに送信するステップと、Ｓ＿ｅＮＢによって受信されたＰＤＣＰ−ＳＤＵ  ＳＮ）を通知するために、Ｔ＿ｅＮＢが、Ｓ＿ｅＮＢによって受信されたＰＤＣＰ−ＳＤＵ  ＳＮをＵＥに通知するステップとを含む方法。これによって、ＵＥは、受信されたＳＮに対応するＰＤＣＰ−ＳＤＵを再送信せず、無用なＰＤＣＰ−ＳＤＵの再送信が回避され、先行技術と比較して、無線リソースが節約される。
2010539757.tif 000002
【特許請求の範囲】
【請求項１】
ロング・タイム・エボリューション（ＬＴＥ）システムにおいてセル・ハンドオーバーの間のデータ再送信を指定するための方法であって、
ソース・エボルブド・ノードＢ（Ｓ＿ｅＮＢ）によって受信されたパケット・データ・コンバージェンス・プロトコル−サービス・データ・ユニットのシーケンス番号（ＰＤＣＰ−ＳＤＵ  ＳＮ）を通知するために、前記Ｓ＿ｅＮＢによって、前記ＰＤＣＰ−ＳＤＵ  ＳＮリポートをターゲット・エボルブド・ノードＢ（Ｔ＿ｅＮＢ）に送信し、
前記Ｓ＿ｅＮＢによって受信された前記ＰＤＣＰ−ＳＤＵ  ＳＮを、前記Ｔ＿ｅＮＢによって、ユーザー・イクイップメント（ＵＥ）に通知する、ことを含んでいる方法。
【請求項２】
さらに、前記Ｓ＿ｅＮＢによって受信された前記ＰＤＣＰ−ＳＤＵを、前記ＵＥによって、受信された前記ＰＤＣＰ−ＳＤＵ  ＳＮに従って再送信キューから廃棄し、前記再送信キュー内の残りの前記ＰＤＣＰ−ＳＤＵのみを前記Ｔ＿ｅＮＢに再送信することを含んでいる請求項１に記載の方法。
【請求項３】
前記Ｔ＿ｅＮＢは、前記ＵＥに、同期応答メッセージ、無線リソース制御（ＲＲＣ）メッセージ、無線リンク制御（ＲＬＣ）メッセージ、または、メディア・アクセス制御（ＭＡＣ）メッセージを通じて、前記Ｓ＿ｅＮＢによって受信された前記ＰＤＣＰ−ＳＤＵ  ＳＮを通知することを含んでいる請求項１または２に記載の方法。
【請求項４】
前記ＵＥが前記Ｔ＿ｅＮＢに同期された後、前記Ｔ＿ｅＮＢは、前記Ｔ＿ｅＮＢが前記ＰＤＣＰ−ＳＤＵ  ＳＮリポートを受信したか否かを判別し、
前記Ｔ＿ｅＮＢが前記ＰＤＣＰ−ＳＤＵ  ＳＮリポートを受信していた場合、前記Ｔ＿ｅＮＢは、前記Ｓ＿ｅＮＢによって受信された前記ＰＤＣＰ−ＳＤＵ  ＳＮを含む同期応答メッセージを前記ＵＥに送信し、
前記Ｔ＿ｅＮＢが前記ＰＤＣＰ−ＳＤＵ  ＳＮリポートを受信していなかった場合、前記Ｔ＿ｅＮＢは、前記ＰＤＣＰ−ＳＤＵ  ＳＮを含まない同期応答メッセージを前記ＵＥに送信する、ことを含んでいる請求項３に記載の方法。
【請求項５】
前記ＵＥが前記Ｔ＿ｅＮＢに同期された後、前記Ｔ＿ｅＮＢは、前記Ｔ＿ｅＮＢが前記ＰＤＣＰ−ＳＤＵ  ＳＮリポートを受信したか否かを判別し、
前記Ｔ＿ｅＮＢが前記ＰＤＣＰ−ＳＤＵ  ＳＮリポートを受信していた場合、前記Ｔ＿ｅＮＢは、前記Ｓ＿ｅＮＢによって受信された前記ＰＤＣＰ−ＳＤＵ  ＳＮを含む同期応答メッセージを前記ＵＥに送信し、
前記Ｔ＿ｅＮＢが前記ＰＤＣＰ−ＳＤＵ  ＳＮリポートを受信していなかった場合、前記Ｔ＿ｅＮＢは、既定の時間だけ待機し、前記Ｔ＿ｅＮＢが前記既定の時間内に前記ＰＤＣＰ−ＳＤＵ  ＳＮを受信しなかった場合、前記ＰＤＣＰ−ＳＤＵ  ＳＮを含まない同期応答メッセージを前記ＵＥに送信し、前記Ｔ＿ｅＮＢが前記既定の時間内に前記ＰＤＣＰ−ＳＤＵ  ＳＮを受信した場合、前記ＰＤＣＰ−ＳＤＵ  ＳＮを含む同期応答メッセージを前記ＵＥに送信する、ことを含んでいる請求項３に記載の方法。
【請求項６】
前記ＵＥが前記Ｔ＿ｅＮＢに同期された後、前記Ｔ＿ｅＮＢは、前記Ｔ＿ｅＮＢが前記ＰＤＣＰ−ＳＤＵ  ＳＮリポートを受信したか否かを判別し、
前記Ｔ＿ｅＮＢが前記ＰＤＣＰ−ＳＤＵ  ＳＮリポートを受信していた場合、前記Ｔ＿ｅＮＢは、前記Ｓ＿ｅＮＢによって受信された前記ＰＤＣＰ−ＳＤＵ  ＳＮを含む同期応答メッセージを前記ＵＥに送信し、
前記Ｔ＿ｅＮＢが前記ＰＤＣＰ−ＳＤＵ ＳＮリポートを受信していなかった場合、前記Ｔ＿ｅＮＢは、前記ＰＤＣＰ−ＳＤＵ  ＳＮを含まない同期応答メッセージを前記ＵＥに送信し、かつ、前記Ｔ＿ｅＮＢは、前記ＲＲＣメッセージ、前記ＲＬＣメッセージ、または、前記ＭＡＣメッセージを前記ＵＥに直ちに送信して、前記ＵＥに、前記Ｓ＿ｅＮＢによって受信された前記ＰＤＣＰ−ＳＤＵ  ＳＮを通知する、ことを含んでいる請求項３に記載の方法。
【請求項７】
前記Ｓ＿ｅＮＢが前記ＰＤＣＰ−ＳＤＵ  ＳＮリポートを前記Ｔ＿ｅＮＢに送信するタイミングは、前記Ｓ＿ｅｎＢが、前記ＵＥから返信されたハンドオーバー・コマンド・メッセージに対するアクノレッジ・メッセージを受信したとき、または、前記Ｓ＿ｅＮＢが前記ハンドオーバー・コマンド・メッセージに対するアクノレッジ・メッセージを何も受信しなかった場合には、前記ＵＥからの前記ハンドオーバー・コマンド・メッセージの送信時から既定の時間に達したときである、ことを特徴とする請求項１または２に記載の方法。
【請求項８】
ロング・タイム・エボリューション（ＬＴＥ）システムにおいてセル・ハンドオーバーの間のデータ再送信を指定するためのエボルブド・ノードＢ（ｅＮＢ）であって、
Ｘ２インタフェースユニット、及び、ＵＥと通信するユーザー・イクイップメント（ＵＥ）インタフェース・ユニットを含み、前記ｅＮＢは、さらに、リポート・アセンブリング・ユニット及びメッセージ・アセンブリング・ユニットを含んでおり、
前記リポート・アセンブリング・ユニットは、前記ＵＥインタフェースで受信されたパケット・データ・コンバージェンス・プロトコル−サービス・データ・ユニット（ＰＤＣＰ−ＳＤＵ）のシーケンス番号（ＳＮ）を含むＰＤＣＰ−ＳＤＵ  ＳＮリポートをアセンブルするために適しており、前記ＳＮリポートは、Ｘ２インタフェース・ユニットを介してＴ＿ｅＮＢに送信され、
前記メッセージ・アセンブリング・ユニットは、前記Ｓ＿ｅＮＢによって受信された前記ＰＤＣＰ−ＳＤＵ  ＳＮを含むメッセージを、前記Ｘ２インタフェース・ユニットで受信された前記ＰＤＣＰ−ＳＤＵ  ＳＮリポートに従ってアセンブルするために適しており、前記ＵＥインタフェース・ユニットを介して、前記ＵＥにメッセージを送信する、ことを特徴とするｅＮＢ。
【請求項９】
前記メッセージ・アセンブリング・ユニットによってアセンブルされるメッセージは、同期応答メッセージ、無線リソース制御（ＲＲＣ）メッセージ、無線リンク制御（ＲＬＣ）メッセージ、または、メディア・アクセス制御（ＭＡＣ）メッセージであることを特徴とする請求項８に記載のｅＮＢ。
【請求項１０】
ロング・タイム・エボリューション（ＬＴＥ）システムにおいてセル・ハンドオーバーの間のデータ再送信を指定するためのユーザー・イクイップメント（ＵＥ）であって、
ソース・エボルブド・ノードＢ（Ｓ＿ｅＮＢ）またはターゲット・エボルブド・ノードＢ（Ｔ＿ｅＮＢ）と通信するエボルブド・ノードＢ（ｅＮＢ）インタフェース・ユニット、及び、パケット・データ・コンバージェンス・プロトコル−サービス・データ・ユニット（ＰＤＣＰ−ＳＤＵ）が一時格納される再送信キューを含み、前記ＵＥは、さらに、メッセージ・パーシング・ユニット及びキュー調整ユニットを含んでおり、
前記ｅＮＢインタフェース・ユニットは、前記Ｔ＿ｅＮＢから、前記Ｓ＿ｅＮＢによって受信されたＰＤＣＰ−ＳＤＵのシーケンス番号（ＳＮ）を示すメッセージを受信するために適し、
前記メッセージ・パーシング・ユニットは、前記Ｓ＿ｅＮＢによって受信された前記ＰＤＣＰ−ＳＤＵ  ＳＮを取得するためにメッセージを構文解析するために適し、
前記キュー調整ユニットは、前記Ｓ＿ｅＮＢによって受信された前記ＰＤＣＰ−ＳＤＵ  ＳＮを前記再送信キューから廃棄するために適し、かつ、前記ｅＮＢインタフェース・ユニットは、前記再送信キュー内の残りのＰＤＣＰ−ＳＤＵのみを前記Ｔ＿ｅＮＢに再送信する、ことを特徴とするＵＥ。
【請求項１１】
前記Ｓ＿ｅＮＢによって受信されたＰＤＣＰ−ＳＤＵ  ＳＮを示すメッセージは、同期応答メッセージ、無線リソース制御（ＲＲＣ）メッセージ、無線リンク制御（ＲＬＣ）メッセージ、または、メディア・アクセス制御（ＭＡＣ）メッセージであることを特徴とする請求項１０に記載のＵＥ。
【発明の詳細な説明】
【技術分野】
【０００１】
本出願は、２００７年９月１１日に中国特許庁に出願され、「ＬＴＥシステムにおけるセル・ハンドオーバーの間のデータ再送信のための方法及び装置」と題された中国特許出願第２００７１０１２１６４７．Ｘの優先権を主張するものであり、その全体は本明細書に含まれる。
【０００２】
本発明は、移動体通信におけるロング・タイム・エボリューション（ＬＴＥ）システムの技術分野に関連し、特に、ＬＴＥシステムにおけるセル・ハンドオーバーの間のデータ再送信のための方法及び装置に関する。
【背景技術】
【０００３】
ＬＴＥシステムのセル・ハンドオーバーの間では、ネットワーク制御のためのユーザー・イクイップメント（ＵＥ）アシスタントの概念、すなわち「測定―リポート―決定―実行」のステップが使用されている。ソース・エボルブド・ノードＢ（Ｓ＿ｅＮＢ）が、ＵＥ及びターゲット・エボルブド・ノードＢ（Ｔ＿ｅＮＢ）からの測定リポートに従って、ＵＥがＴ＿ｅＮＢにハンドオーバーすべきであることを決定するとき、Ｓ＿ｅＮＢがＸ２インタフェースを介して直接Ｔ＿ｅＮＢと情報を交換することにより、ターゲットセルにおけるリソースの準備を完了し、次いで、Ｓ＿ｅＮＢがＵＥにターゲットセルへのハンドオーバーを指示し、ハンドオーバーに成功した後、Ｔ＿ｅＮＢがＳ＿ｅＮＢに元のセルの無線リソースを解放するように通知する。加えて、Ｓ＿ｅＮＢは、まだ送信していないデータをＴ＿ｅＮＢに送信し、ユーザプレーンと制御プレーンの間のノードのリレーションを更新する。
【０００４】
図１を参照すると、先行技術におけるＬＴＥシステムのセル・ハンドオーバーのフローチャートには、主として、次のステップが含まれる。
（１）Ｓ＿ｅＮＢが測定手順でＵＥを構成する。
（２）ＵＥがＳ＿ｅＮＢに測定リポートを送信する。
（３）Ｓ＿ｅＮＢが測定リポートと無線リソースマネージメント（ＲＰＭ）情報に従ってＵＥハンドオーバーを決定する。
（４）Ｓ＿ｅＮＢがＴ＿ｅＮＢにハンドオーバー・リクエストを送信する。
（５）Ｓ＿ｅＮＢからのハンドオーバー・リクエストを受信すると、Ｔ＿ｅＮＢはシステム・アーキテクチャ・エボリューション（ＳＡＥ）エンティティから受信したクオリティ・オブ・サービス（ＱｏＳ）情報に従って、アドミッション制御手順を実行する。
（６）Ｔ＿ｅＮＢがＳ＿ｅＮＢにハンドオーバー・リクエスト・アクノレッジ・メッセージを送信する。
（７）Ｓ＿ｅＮＢがＵＥにハンドオーバー・コマンド・メッセージを送信し、ＵＥに対してハンドオーバーを実行するように指示する。
（８）ＵＥがＴ＿ｅＮＢに同期メッセージを送信する。
（９）Ｔ＿ｅＮＢがＵＥに、ＵＬリソース割当情報、タイム・アドバンス等を含む同期応答メッセージを返信する。
（１０）ＵＥがターゲットセルへのアクセスに成功した後、ＵＥはＴ＿ｅＮＢにハンドオーバー完了アクノレッジ・メッセージを送信する。
【０００５】
ユーザプレーン上では、ＵＥからのアップリンクデータの損失を回避し、ハンドオーバーの間のアップリンクデータの順序付き送信を維持するために、アップリンクデータ転送方式が使用され、破線で示すように、図１のステップ（７）とステップ（８）の間に実行される。一般に、データ転送は、次のステップを参照する。すなわち、Ｓ＿ｅＮＢが受信した順序付きパケット・データ・コンバージェンス・プロトコルサービス・データ・ユニット（ＰＤＣＰ−ＳＤＵ）をＴ＿ｅＮＢに転送する。ここで、ＰＤＣＰ−ＳＤＵにはシーケンス番号（ＳＮｓ）が付けられている。次いで、Ｔ＿ｅＮＢが、受信したＰＤＣＰ−ＳＤＵｓをサービス・ゲートウェイ（Ｓ−ＧＷ）に送信する。ハンドオーバーの間、上部層ＰＤＵｓの順序付き送信は、連続的ＰＤＣＰ―ＳＮ及びＰＤＣＰ層が備える再順序関数に基づく。アップリンクにおいて、Ｔ＿ｅＮＢのＰＤＣＰ層の再順序関数は、アップリンクＰＤＣＰ−ＳＤＵｓの順序付き送信を保障する。
【０００６】
現在のＬＴＥシステムでは、エアー・インタフェースは、オートマチック・リピート・リクエスト／ハイブリッド・オートマチック・リピート・リクエスト（ＡＲＱ／ＨＡＲＱ）機構に基づいている。Ｓ＿ｅＮＢは、順序付きＰＤＣＰ−ＳＤＵｓの受信に成功すると、ＡＣＫｓをＵＥに返信する。ＵＥは、これらのＰＤＣＰ−ＳＤＵｓを、ＵＥでＡＣＫｓが受信されていないＴ＿ｅＮＢに再送信する。次の２つのケースでは、ＵＥがＰＤＣＰへのＡＣＫを何も受信していないことを理解することは容易である。第１のケースは、Ｓ＿ｅＮＢがネットワーク等の要因によりＰＤＣＰを受信せず、したがって、ＵＥにＡＣＫｓを返信しない場合である。第２のケースは、Ｓ＿ｅＮＢは、順序付きＰＤＣＰを正常に受信したが、ネットワーク要因によりＡＣＫｓがＵＥに正常に返信されない場合である。これらの２つのケースでは、ＵＥからＴ＿ｅＮＢの無意味な再送信が生じ、貴重な無線リソースが浪費される可能性がある。以下に、上述した２つのケースの例を説明する。
【０００７】
図２は、ＵＥからのＰＤＤＣＰ−ＳＤＵｓの再送信により無意味な浪費が生じる事例を示す。Ｓ＿ｅＮＢは、ＵＥからデータ１、２、３を正常に受信し、データ１、２、３を、Ｓ１インタフェースを介してＳ−ＧＷに送信する。ここで、ＵＥは、ネットワーク側から返信されたデータ１に対するＡＣＫｓのみを受信し、データ２、３に対するＡＣＫｓを受信しないと仮定する。この場合、ＵＥは、データ２、３のＴ＿ｅＮＢへの送信を続け、Ｔ＿ｅＮＢは、再送信されたデータ２、３を受信してそれをＳ−ＧＷに送信する。これによって、エボルブド・パケット・コア（ＥＰＣ）システムにおいて反復データの受信が生じ、エアー・インタフェースの貴重な無線リソースが浪費される。
【０００８】
図３は、ＵＥからのＰＤＤＣＰ−ＳＤＵｓの再送信により無意味な浪費が生じる別の事例を示す。ＵＥは、データａ，ｂ，ｃ，ｄをＳ＿ｅＮＢに送信するが、データｂは送信失敗し、Ｓ＿ｅＮＢは、データａ，ｃ，ｄのみを受信する。ここで、データｃ、ｂは、順序無しデータになる。従来のデータ転送方法によれば、Ｓ＿ｅＮＢは、順序付きデータをＳ−ＧＷに送信し、順序無しデータｃ、ｄをバッファーに一時格納し、次いで、データｃ、ｄを、データｃ、ｄをＳ−ＧＷに配信するＴ＿ｅＮＢに送信する。ここで、ＵＥは、データｃ、ｄに対するＡＣＫを何も受信しないと仮定する。この場合、ＵＥは、データａに対するＡＣＫのみを受信し、ＵＥはデータｂ、ｃ、ｄに対するＡＣＫを何も受信しないため、データｂ、ｃ、ｄをＴ＿ｅＮＢに再送信する。明らかに、データｃ、ｄは、再送信される。一方では、Ｓ＿ｅＮＢは、一時格納されたデータｃ、ｄをＴ＿ｅＮＢに送信し、他方、ＵＥは、ＡＣＫの未受信により、データｃ、ｄをＴ＿ｅＮＢに再送信する。これらによって、リソースの浪費が生じる。
【発明の概要】
【発明が解決しようとする課題】
【０００９】
本発明は、上記課題に鑑みてなされたものであり、従来の方式におけるＰＤＣＰ−ＳＤＵの冗長な再送信による無線リソースの浪費の問題を解決するため、ＬＴＥシステムにおけるセル・ハンドオーバーの間にデータ再送信を指定するための方法を提供するものである。
【００１０】
本発明に係る方法に対応して、本発明は、さらに、ＬＴＥシステムにおけるセル・ハンドオーバーの間にデータ再送信を指定するための装置、例えばｅｎＢ及びＵＥ、を提供するものである。
【課題を解決するための手段】
【００１１】
本発明に係る技術的手段は、以下の通りである。
【００１２】
ロング・タイム・エボリューション（ＬＴＥ）システムにおいてセル・ハンドオーバーの間のデータ再送信を指定するための方法であって、
ソース・エボルブド・ノードＢ（Ｓ＿ｅＮＢ）によって受信されたパケット・データ・コンバージェンス・プロトコル−サービス・データ・ユニットのシーケンス番号（ＰＤＣＰ−ＳＤＵ  ＳＮ）を通知するために、前記Ｓ＿ｅＮＢによって、前記ＰＤＣＰ−ＳＤＵ  ＳＮリポートをターゲット・エボルブド・ノードＢ（Ｔ＿ｅＮＢ）に送信し、前記Ｓ＿ｅＮＢによって受信された前記ＰＤＣＰ−ＳＤＵ  ＳＮを、前記Ｔ＿ｅＮＢによって、ユーザー・イクイップメント（ＵＥ）に通知することを含んでいる方法。
【００１３】
前記方法は、さらに、前記Ｓ＿ｅＮＢによって受信された前記ＰＤＣＰ−ＳＤＵを、前記ＵＥによって、受信された前記ＰＤＣＰ−ＳＤＵ  ＳＮに従って再送信キューから廃棄し、前記再送信キュー内の残りの前記ＰＤＣＰ−ＳＤＵのみを前記Ｔ＿ｅＮＢに再送信することを含む。
【００１４】
前記Ｔ＿ｅＮＢは、前記ＵＥに、同期応答メッセージ、無線リソース制御（ＲＲＣ）メッセージ、無線リンク制御（ＲＬＣ）メッセージ、または、メディア・アクセス制御（ＭＡＣ）メッセージを通じて、前記Ｓ＿ｅＮＢによって受信された前記ＰＤＣＰ−ＳＤＵ  ＳＮを通知する。
【００１５】
好ましくは、前記ＵＥが前記Ｔ＿ｅＮＢに同期された後、前記Ｔ＿ｅＮＢは、前記Ｔ＿ｅＮＢが前記ＰＤＣＰ−ＳＤＵ  ＳＮリポートを受信したか否かを判別し、前記Ｔ＿ｅＮＢが前記ＰＤＣＰ−ＳＤＵ ＳＮリポートを受信していた場合、前記Ｔ＿ｅＮＢは、前記ＵＥに、前記Ｓ＿ｅＮＢによって受信された前記ＰＤＣＰ−ＳＤＵ ＳＮを含む同期応答メッセージを送信し、前記Ｔ＿ｅＮＢが前記ＰＤＣＰ−ＳＤＵ ＳＮリポートを受信していなかった場合、前記Ｔ＿ｅＮＢは、前記ＵＥに、前記ＰＤＣＰ−ＳＤＵ ＳＮを含まない同期応答メッセージを送信する。
【００１６】
あるいは、前記ＵＥが前記Ｔ＿ｅＮＢに同期された後、前記Ｔ＿ｅＮＢは、前記Ｔ＿ｅＮＢが前記ＰＤＣＰ−ＳＤＵ  ＳＮリポートを受信したか否かを判別し、前記Ｔ＿ｅＮＢが前記ＰＤＣＰ−ＳＤＵ ＳＮリポートを受信していた場合、前記Ｔ＿ｅＮＢは、前記ＵＥに、前記Ｓ＿ｅＮＢによって受信された前記ＰＤＣＰ−ＳＤＵ ＳＮを含む同期応答メッセージを送信し、前記Ｔ＿ｅＮＢが前記ＰＤＣＰ−ＳＤＵ ＳＮリポートを受信していなかった場合、前記Ｔ＿ｅＮＢは、既定の時間だけ待機し、前記Ｔ＿ｅＮＢが前記既定の時間内に前記ＰＤＣＰ−ＳＤＵ  ＳＮを受信しなかった場合、前記ＵＥに、前記ＰＤＣＰ−ＳＤＵ ＳＮを含まない同期応答メッセージを送信し、前記Ｔ＿ｅＮＢが前記既定の時間内に前記ＰＤＣＰ−ＳＤＵ  ＳＮを受信した場合、前記ＵＥに、前記ＰＤＣＰ−ＳＤＵ ＳＮを含む同期応答メッセージを送信する。
【００１７】
あるいは、前記ＵＥが前記Ｔ＿ｅＮＢに同期された後、前記Ｔ＿ｅＮＢは、前記Ｔ＿ｅＮＢが前記ＰＤＣＰ−ＳＤＵ  ＳＮリポートを受信したか否かを判別し、前記Ｔ＿ｅＮＢが前記ＰＤＣＰ−ＳＤＵ ＳＮリポートを受信していた場合、前記Ｔ＿ｅＮＢは、前記ＵＥに、前記Ｓ＿ｅＮＢによって受信された前記ＰＤＣＰ−ＳＤＵ ＳＮを含む同期応答メッセージを送信し、前記Ｔ＿ｅＮＢが前記ＰＤＣＰ−ＳＤＵ ＳＮリポートを受信していなかった場合、前記Ｔ＿ｅＮＢは、前記ＵＥに、前記ＰＤＣＰ−ＳＤＵ ＳＮを含まない同期応答メッセージを送信し、そして、前記Ｔ＿ｅＮＢは、前記ＲＲＣメッセージ、前記ＲＬＣメッセージ、または、前記ＭＡＣメッセージを前記ＵＥに直ちに送信して、前記ＵＥに前記Ｓ＿ｅＮＢによって受信された前記ＰＤＣＰ−ＳＤＵ  ＳＮを通知する。
【００１８】
前記Ｓ＿ｅＮＢが前記ＰＤＣＰ−ＳＤＵ  ＳＮリポートを前記Ｔ＿ｅＮＢに送信するタイミングは、前記Ｓ＿ｅｎＢが、前記ＵＥから返信されたハンドオーバー・コマンド・メッセージに対するアクノレッジ・メッセージを受信したとき、または、前記Ｓ＿ｅＮＢが前記ハンドオーバー・コマンド・メッセージに対するアクノレッジ・メッセージを何も受信しなかった場合には、前記ＵＥからの前記ハンドオーバー・コマンド・メッセージの送信時から既定の時間に達したときである。
【００１９】
ロング・タイム・エボリューション（ＬＴＥ）システムにおいてセル・ハンドオーバーの間のデータ再送信を指定するためのエボルブド・ノードＢ（ｅＮＢ）は、Ｘ２インタフェースユニット、及び、ＵＥと通信するユーザー・イクイップメント（ＵＥ）インタフェース・ユニットを含み、前記ｅＮＢは、さらに、リポート・アセンブリング・ユニット及びメッセージ・アセンブリング・ユニットを含んでおり、前記リポート・アセンブリング・ユニットは、前記ＵＥインターフェースで受信されたパケット・データ・コンバージェンス・プロトコル−サービス・データ・ユニット（ＰＤＣＰ−ＳＤＵ）のシーケンス番号（ＳＮ）を含むＰＤＣＰ−ＳＤＵ  ＳＮリポートをアセンブルするために適しており、前記ＳＮリポートは、Ｘ２インタフェース・ユニットを介してＴ＿ｅＮＢに送信され、前記メッセージ・アセンブリング・ユニットは、前記Ｓ＿ｅＮＢによって受信された前記ＰＤＣＰ−ＳＤＵ  ＳＮを含むメッセージを、前記Ｘ２インタフェース・ユニットで受信された前記ＰＤＣＰ−ＳＤＵ  ＳＮリポートに従ってアセンブルするために適しており、前記ＵＥインタフェース・ユニットを介して、前記ＵＥにメッセージを送信する。
【００２０】
前記メッセージ・アセンブリング・ユニットによってアセンブルされるメッセージは、同期応答メッセージ、無線リソース制御（ＲＲＣ）メッセージ、無線リンク制御（ＲＬＣ）メッセージ、または、メディア・アクセス制御（ＭＡＣ）メッセージである。
【００２１】
ロング・タイム・エボリューション（ＬＴＥ）システムにおいてセル・ハンドオーバーの間のデータ再送信を指定するためのユーザー・イクイップメント（ＵＥ）は、ソース
・エボルブド・ノードＢ（Ｓ＿ｅＮＢ）またはターゲット・エボルブド・ノードＢ（Ｔ＿ｅＮＢ）と通信するエボルブド・ノードＢ（ｅＮＢ）インタフェース・ユニット、及び、パケット・データ・コンバージェンス・プロトコル−サービス・データ・ユニット（ＰＤＣＰ−ＳＤＵ）が一時格納される再送信キューを含み、前記ＵＥは、さらに、メッセージ・パーシング・ユニット及びキュー調整ユニットを含んでおり、前記ｅＮＢインタフェース・ユニットは、前記Ｔ＿ｅＮＢから、前記Ｓ＿ｅＮＢによって受信されたＰＤＣＰ−ＳＤＵシーケンス番号（ＳＮ）を示すメッセージを受信するために適し、前記メッセージ・パーシング・ユニットは、前記Ｓ＿ｅＮＢによって受信された前記ＰＤＣＰ−ＳＤＵ  ＳＮを取得するためにメッセージを構文解析するために適し、前記キュー調整ユニットは、前記Ｓ＿ｅＮＢによって受信された前記ＰＤＣＰ−ＳＤＵ  ＳＮを前記再送信キューから廃棄するために適しており、前記ｅＮＢインタフェース・ユニットは、前記再送信キュー内の残りのＰＤＣＰ−ＳＤＵのみを前記Ｔ＿ｅＮＢに再送信する。
【００２２】
前記Ｓ＿ｅＮＢによって受信されたＰＤＣＰ−ＳＤＵを示すメッセージは、同期応答メッセージ、無線リソース制御（ＲＲＣ）メッセージ、無線リンク制御（ＲＬＣ）メッセージ、または、メディア・アクセス制御（ＭＡＣ）メッセージである。
【発明の効果】
【００２３】
上記の技術的手段により、次のような効果を奏する。
先行技術のＬＴＥシステムにおけるセル・ハンドオーバーの方式では、ＵＥがＴ＿ｅＮＢにＰＤＣＰを再送信するのは、ＵＥがＰＤＣＰに対するＡＣＫを受信しなかった場合のみである。しかしながら、本発明では、ＵＥは、さらに、ＵＥが、Ｔ＿ｅＮＢから、Ｓ＿ｅＮＢがＰＤＣＰを受信したことを示すＰＤＣＰ−ＳＮを受信したか否かを判別する。そして、ＵＥが、ＰＤＣＰに対するＡＣＫを受信していないが、Ｓ＿ｅＮＢがＰＤＣＰを受信したことを示すＰＤＣＰ−ＳＮを受信した場合、ＵＥは、ＰＤＣＰを再送信しない。これによって、冗長なＰＤＣＰの再送信が回避され、従来の方式と比較して、無線リソースを効果的に節約することができる。
【図面の簡単な説明】
【００２４】
【図１】図１は、先行技術のＬＥＴシステムにおけるセル・ハンドオーバーを示すダイアグラムである。
【図２】図２は、先行技術において、ＵＥからのデータ再送信を示す第１のダイアグラムである。
【図３】図３は、先行技術において、ＵＥからのデータ再送信を示す第２のダイアグラムである。
【図４】図４は、本発明に係る方法の第１実施形態を示すダイアグラムである。
【図５】図５は、本発明に係る方法の第１実施形態のフローチャートである。
【図６】図６は、本発明に係る方法の第１実施形態の例示的なダイアグラムである。
【図７】図７は、本発明に係る方法の第２実施形態のフローチャートである。
【図８】図８は、本発明に係る方法の第３実施形態のフローチャートである。
【図９】図９は、本発明に係るＳ＿ｅＮＢ装置の構成を示すダイアグラムである。
【図１０】図１０は、本発明に係るＴ＿ｅＮＢ装置の構成を示すダイアグラムである。
【図１１】図１１は、本発明に係るＵＥ装置の構成を示すダイアグラムである。
【発明を実施するための形態】
【００２５】
本発明の主要な特徴は、ＵＥのセル・ハンドオーバーの間に特定の手順、すなわち、Ｓ＿ｅｎＢが、Ｔ＿ｅＮＢを介してどのＰＤＣＰ−ＳＤＵがＳ＿ｅＮＢによって正常に受信されたかをＵＥに通知する手順が追加され、ＵＥは、ＵＥがＰＤＣＰ−ＳＤＵに対するＡＣＫを受信しない場合でも、ＰＤＣＰ−ＳＤＵを再送信する必要がないことである。
【００２６】
さらに、本発明は、次のようにして実装されている。
（１）Ｓ＿ｅＮＢは、ＰＤＣＰ−ＳＤＵ ＳＮリポートをＴ＿ｅＮＢに送信し、Ｔ＿ｅＮＢに、Ｓ＿ｅＮＢによって受信されたＰＤＣＰ−ＳＤＵ  ＳＮ（全ての順序付き及び順序無しＰＤＣＰ−ＳＤＵのＳＮを含む）を通知する。
（２）Ｔ＿ｅｎＢは、リポートに従ってＰＤＣＰ−ＳＤＵ ＳＮをＵＥに再送信し、ＵＥに、どのＰＤＣＰ−ＳＤＵが受信されたかを通知する。
（３）ＵＥは、受信されたＰＤＣＰ−ＳＤＵ  ＳＮに従って、ＰＤＣＰ−ＳＤＵを再送信しない。
【００２７】
先行技術のＬＴＥシステムにおけるセル・ハンドオーバーの方式では、ＵＥは、ＵＥがＰＤＣＰ−ＳＤＵに対するＡＣＫを受信しない場合にのみ、ＰＤＣＰ−ＳＤＵをＴ＿ｅＮＢに再送信する。しかし、本発明では、ＵＥは、さらに、ＵＥが、Ｔ＿ｅＮＢから、Ｓ＿ｅＮＢがＰＤＣＰ−ＳＤＵを受信したことを示すＳＮを受信したか否かを判別する。そして、ＵＥが、ＰＤＣＰ−ＳＤＵに対するＡＣＫを受信してないが、ＰＤＣＰ−ＳＤＵの受信を示すＰＤＣＰ−ＳＤＵ  ＳＮを受信している場合、ＵＥは、ＰＤＣＰ−ＳＤＵを再送信しない。これによって、重複するＰＤＣＰ−ＳＤＵの再送信が回避され、従来の手段と比較して無線リソースを効果的に節約することができる。
【００２８】
以下、添付図面を参照して、本発明の実施形態を詳細に説明する。
本発明において、Ｓ＿ｅＮＢによって受信されたＰＤＣＰ−ＳＤＵ  ＳＮを送信するために、セル・ハンドオーバーに信号が追加されるものである。ＵＥは、ＰＤＣＰ−ＳＤＵを再送信しない。全体の手順を明確にするために、以下では、ＬＴＥシステムにおけるセル・ハンドオーバーの手順、すなわち、本発明の背景技術に記載されたセル・ハンドオーバーをベースとして変更された手段について説明する。
【００２９】
図４は、本発明の第１実施形態のＬＴＥシステムにおけるセル・ハンドオーバーを示すダイアグラムである。このセル・ハンドオーバーは、次のステップを含んでいる。ステップ４０１において、Ｓ＿ｅｎＢは、ローミング制限情報に従う測定手順を用いてＵＥを構成する。
ステップ４０２において、ＵＥは、Ｓ＿ｅＮＢに測定リポートを送信する。
ステップ４０３において、Ｓ＿ｅＮＢは、ＵＥからの測定リポート及びＲＲＭ情報に従って、ＵＥのセル・ハンドオーバーの実行を決定する。
【００３０】
ステップ４０４において、Ｓ＿ｅＮＢは、Ｔ＿ｅＮＢに、Ｔ＿ｅｎＢがハンドオーバー・リソースを準備するために必要な情報を含むハンドオーバー・リクエスト・メッセージを送信する。ハンドオーバー・リクエスト・メッセージには、システムがＤＬ／ＵＬデータ転送をサポートするか否かを示す情報も含まれる。ハンドオーバー・リクエスト・メッセージには、さらに、ＳＡＥベアラ・コンテキストが含まれる。
ＳＡＥベアラ・コンテキストは、上部層データを送信するためのＳ−ＧＷのトランスポート・ネットワーク層（ＴＮＬ）情報、ＳＡＥによって生成されたＱｏＳ情報等が含まれる。
ステップ４０５において、Ｔ＿ｅＮＢは、ＳＡＥによって生成され、受信されたＱｏＳ情報に基づいてアドミッション制御手順を実行する。
【００３１】
ステップ４０６において、Ｔ＿ｅＮＢは、ハンドオーバー・リソースを準備する間に、Ｓ＿ｅＮＢに、ハンドオーバー・リクエスト・アクノレッジ・メッセージを送信する。
ハンドオーバー・リクエスト・アクノレッジ・メッセージは、トンネル・エンド・ポイント識別子（ＴＥＩＤ）、及び、Ｔ＿ｅＮＢによって割当てられるＤＬ／ＵＬデータ転送をサポートするＴＮＬのアドレスを含む。
【００３２】
ステップ４０７において、Ｓ＿ｅＮＢは、ＵＥに、ハンドオーバー・コマンド・メッセージを送信し、ＵＥに対して、Ｔ＿ｅＮＢからのハンドオーバー・リクエスト・アクノレッジ・メッセージの受信に応じて、ハンドオーバーを実行するように指示する。
ハンドオーバー・コマンド・メッセージは、新規の無線ネットワーク一時識別子（ＲＮＴＩ）、可能な開始時刻、Ｔ＿ｅＮＢのシステム情報ブロック（ＳＩＢ）等を含む。
Ｓ＿ｅＮＢからハンドオーバー・コマンド・メッセージを受信すると、ＵＥは、Ｓ＿ｅＮＢへのＰＤＣＰ−ＳＤＵの送信を中止する。ＵＥは、無線リンク制御（ＲＬＣ）アクノレッジ手順または他の機構を使用して、確実にハンドオーバー・コマンド・メッセージを受信するものであってもよい。
ハンドオーバー・コマンド・メッセージを送信した後、Ｓ＿ｅＮＢは、ＵＬ／ＤＬデータ転送を開始する。すなわち、Ｓ＿ｅＮＢは、ＵＥから受信されたＰＤＣＰ−ＳＤＵをバッファーに一時格納し、ＰＤＣＰ−ＳＤＵをＴ＿ｅＮＢに送信する。
【００３３】
ステップ４０８において、Ｓ＿ｅＮＢは、ハンドオーバー・コマンド・メッセージに応答するＲＬＣ層のアクノレッジ・メッセージを受信すると、または、ＲＬＣ層のアクノレッジ・メッセージを受信しなかった場合には、所定の時間だけ待機した後に、「ＰＤＣＰ−ＳＮリポート」を、Ｘ２インタフェースを介してＴ＿ｅＮＢに送信し、Ｔ＿ｅＮＢに、全ての受信されたＰＤＣＰ−ＳＤＵのＳＮを通知する。
ＲＬＣ層のアクノレッジ・メッセージを受信しなかった場合の上記所定の時間は、ハンドオーバー・コマンド・メッセージの開始時刻に応じて定まる。
【００３４】
ステップ４０９において、ＵＥは、ハンドオーバー・コマンド・メッセージの可能な開始時刻に達した後に、同期メッセージをＴ＿ｅＮＢに送信して、Ｔ＿ｅｎＢとの同期を要求する。次いで、Ｔ＿ｅＮＢは、ＵＥのタイム・アドバンスの取得を開始する。
ステップ４１０において、ＵＥがＴ＿ｅＮＢと同期した後、Ｔ＿ｅＮＢは、ＵＥに、ＵＬリソース割当情報、タイム・アドバンス、及びＰＤＣＰ−ＳＮリポートのＰＤＣＰ−ＳＮ等を含む同期応答メッセージを送信する。
【００３５】
Ｔ＿ｅＮＢは、ＵＥがＴ＿ｅＮＢに同期された後、Ｘ２インタフェースの遅延のために、時間通りにＳ＿ｅＮＢからのＰＤＣＰ−ＳＮリポートを受信しない可能性がある。ＵＥに対して応答することに、Ｔ＿ｅＮＢがＰＤＣＰ−ＳＮリポートを受信しなかった場合、同期応答メッセージには、ＰＤＣＰ−ＳＮは含まれない。そうでない場合には、同期応答メッセージには、ＰＤＣＰ−ＳＮが含まれる。
【００３６】
エアー・インタフェースの稀少なリソースを節約するため、ＵＥは、ＰＤＣＰ−ＳＮの指定に従って、対応するＰＤＣＰを再送信キューから廃棄する。ＵＥは、ＰＤＣ−ＳＮが内場合には、先行技術と同様に手順を進行させる。このように、本発明に係る方法は、容易に、先行技術の方法と互換性を備えるようにすることができる。
【００３７】
ステップ４１１において、ＵＥは、ＵＥがターゲット・セルに正常にアクセスした後、ハンドオーバー・コマンド・メッセージをＴ＿ｅＮＢに送信し、ハンドオーバー手順の完了を通知する。
このように、本発明に係る方法は、ステップ４０８の追加、ステップ４１０の変更、そして、この結果として、ＵＥにおけるＰＤＣＰの再送信を特徴とする。
【００３８】
図５は、本発明の第１実施形態のフローチャートである。
ステップ５０１において、Ｓ＿ｅＮＢがＵＥにハンドオーバー・コマンド・メッセージを送信した後、Ｓ＿ｅＮＢは、ＲＬＣアクノレッジ・メッセージを受信すると、または、所定の時間だけ待機した後に、Ｔ＿ｅＮＢにＰＤＣＰ−ＳＮリポートを送信する。
ステップ５０２において、ＵＥがＴ＿ｅＮＢと同期された後に、Ｔ＿ｅＮＢが、Ｓ＿ｅＮＢからＰＤＣＰ−ＳＮリポートを受信したか否かが判別される。ステップ５０３の分岐は、Ｔ＿ｅｎＢがＳ＿ｅＮＢからＰＤＣＰ−ＳＮを受信していた場合に実行される。ステップ５０５の分岐は、Ｔ＿ｅｎＢがＳ＿ｅＮＢからＰＤＣＰ−ＳＮを受信していなかった場合に実行される。
【００３９】
ステップ５０３において、Ｔ＿ｅＮＢは、ＰＤＣＰ−ＳＮを含む同期応答メッセージをＵＥに送信する。
ステップ５０４において、ＵＥは、対応するＡＣＫを受信していないＰＤＣＰ−ＳＮに対応するＰＤＣＰ ＳＤＵを、ＰＤＣＰ再送信キューから廃棄し、再送信キュー内の残りのＰＤＣＰ−ＳＤＵのみをＴ＿ｅＮＢに再送信する。
ステップ５０５において、Ｔ＿ｅＮＢは、同期応答メッセージをＵＥに送信する。従来の方法と同様に、同期応答メッセージは、ＵＬリソース割当情報及びタイム・アドバンスを含む。
ステップ５０６において、ＵＥは、Ｔ＿ｅＮＢに、ＡＣＫを受信していない全てのＰＤＣＰ−ＳＤＵを再送信する。
【００４０】
本発明によれば、ＵＥからＴ＿ｅＮＢへのＰＤＣＰ−ＳＤＵの無意味な再送信を回避することができる。
例えば、図３と同様の状況を例として使用して、ＵＥは、データａ、ｂ、ｃ、ｄをＳ＿ｅＮＢに送信するが、伝送の間にデータｂの送信は失敗し、ＵＥは、データｂに対するＡＣＫを何も受信しないものとする。Ｓ＿ｅＮＢは、データａ，ｃ，ｄのみを受信し、データｃ、ｄは、順序無しデータになる。ここで、ＵＥは、データｃ、ｄに対するＡＣＫを何も受信しないと過程する。本実施形態における方法では、Ｓ＿ｅＮＢには、従来の天神に基づいて受信したＰＤＣＰ−ＳＤＵのためのＰＤＣＰ−ＳＤＵ  ＳＮリポートを、アセンブルする手順が追加されている。ＰＤＣＰ−ＳＤＵ  ＳＮリポートには、データａ，ｃ，ｄのＳＮが含まれている。Ｓ＿ｅＮＢは、適切なタイミングで（ＲＬＣアクノレッジ・メッセージの受信時、または、Ｓ＿ｅＮＢが所定の時間だけ待機した後）、ＰＤＣＰ−ＳＤＵリポートをＴ＿ｅＮＢに配信する。Ｔ＿ｅＮＢは、Ｓ＿ｅＮＢによってどのＰＤＣＰ−ＳＤＵが正常に受信されたかを、すなわち、データａ，ｃ，ｄは受信されており、再送信の必要はないことを、同期応答メッセージを通じてＵＥに通知する。ＵＥは、データａに対するＡＣＫのみを受信し、データｂ、ｃ、ｄを再送信キューに入れる。しかし、ＵＥは、同期応答メッセージを通じて、データｃ、ｄがＳ＿ｅＮＢによって受信されたことを知っているため、データｃ、ｄを再送信キューから廃棄する。すなわち、ＵＥは、失敗したデーアｂのみをＴ＿ｅＮＢに再送信する。従来の方法と比較すれば、データｃ，ｄの再送信を回避することができ（Ｓ＿ｅＮＢは、データｃ、ｄをＴ＿ｅＮＢにデータ転送により送信する）、エアー・インタフェースの貴重な無線リソースを節約することが可能となる。図３に示す状況を、本実施形態を使用して処理するダイアグラムは図６に示されている。
【００４１】
次に、本発明の係る方法の第２実施形態を説明する。
上述した第１実施形態では、Ｔ＿ｅＮＢは、ＵＥの同期後、ＰＤＣＰ−ＳＤＵ ＳＮを受信しない場合、従来の方法のようにＰＤＣＰ−ＳＤＵ  ＳＮを含まない応答メッセージをＵＥに送信するものとした。一方、本実施形態において、Ｔ＿ｅＮＢは、既定の時間内にＰＤＣＰ−ＳＤＵ  ＳＮを受信した後、ＵＥに応答メッセージを送信し、ＵＥに対して可能な限りＰＤＣＰ−ＳＤＵ  ＳＮを供給して、ＵＥからの冗長なＰＤＣＰ−ＳＤＵの再送信を確実に回避するものである。
【００４２】
図７は、第２実施形態のフローチャートである。
ステップ７０１において、Ｓ＿ｅＮＢがハンドオーバー・コマンド・メッセージをＵＥに送信した後、ＲＬＣアクノレッジ・メッセージを受信すると、または、Ｓ＿ｅＮＢが所定の時間だけ待機した後、Ｓ＿ｅＮＢは、ＰＤＣＰ−ＳＤＵ  ＳＮリポートをＴ＿ｅＮＢに送信する。
ステップ７０２において、ＵＥがＴ＿ｅＮＢと同期された後に、Ｔ＿ｅＮＢが、Ｓ＿ｅＮＢからＰＤＣＰ−ＳＤＵ  ＳＮリポートを受信したか否かが判別される。ステップ７０３の分岐は、Ｔ＿ｅｎＢがＳ＿ｅＮＢからＰＤＣＰ−ＳＤＵ  ＳＮリポートを受信していた場合に実行される。ステップ７０５の分岐は、Ｔ＿ｅｎＢがＳ＿ｅＮＢからＰＤＣＰ−ＳＤＵ  ＳＮリポートを受信していなかった場合に実行される。
【００４３】
ステップ７０３において、Ｔ＿ｅＮＢは、ＰＤＣＰ−ＳＤＵ  ＳＮを含む同期応答メッセージをＵＥに送信する。
ステップ７０４において、ＵＥは、対応するＡＣＫを受信していないＰＤＣＰ−ＳＤＵＳＮに対応するＰＤＣＰ―ＳＤＵを、ＰＤＣＰ再送信キューから廃棄し、再送信キュー内の残りのＰＤＣＰ−ＳＤＵのみをＴ＿ｅＮＢに再送信する。
ステップ７０５において、ＰＤＣＰ−ＳＮリポートが既定の時間内に受信されたか否かが判別される。ＰＤＣＰ−ＳＮリポートが既定の時間内に受信されていなかった場合、ステップ７０３が実行される。待機時間が既定の時間を越えた場合、ステップ７０６が実行される。
【００４４】
ＰＤＣＰ−ＳＮリポートの受信に失敗するのには複数の理由がある。例えば、Ｘ２インタフェースの遅延、ネットワーク伝送の輻輳、または、Ｔ＿ｅＮＢにおける受信されたＰＤＣＰ−ＳＤＵ  ＳＮのパーシングの誤り等である。このような場合、ステップ７０６が実行される。
ステップ７０６において、Ｔ＿ｅＮＢは、同期応答メッセージをＵＥに送信する。従来の方法と同様に、従来の方法と同様に、同期応答メッセージは、ＵＬリソース割当情報及びタイム・アドバンスを含む。
ステップ７０７において、ＵＥは、Ｔ＿ｅＮＢに、ＡＣＫを受信していない全てのＰＤＣＰ−ＳＤＵを再送信する。
【００４５】
Ｔ＿ｅＮＢは、第１実施形態に基づき、ＰＤＣＰ−ＳＤＵ  ＳＮリポートを受信しない場合に直ちに同期応答メッセージを送信するのではなく、第２の実施形態に従って、既定の時間だけ待機する。これによって、ＰＤＣＰ−ＳＤＵ  ＳＮを含む同期応答メッセージをさらに確実に受信するとともに、無線リソースをさらに効果的に節約するものである。
【００４６】
次に、本発明の第３実施形態を説明する。
第３実施形態は、ステップ４０８の後のＴ＿ｅＮＢの処理の点で、上述した２つの実施形態と異なるものである。第３実施形態において、Ｔ＿ｅＮＢは、ＵＥの同期の前に、Ｔ＿ｅＮＢがＰＤＣＰ−ＳＤＵ  ＳＮリポートをＳ＿ｅＮＢから受信した場合、ＵＥへの応答メッセージにＰＤＣＰ−ＳＤＵ ＳＮを含める。Ｔ＿ｅＮＢは、ＵＥの同期の前に、Ｔ＿ｅＮＢがＰＤＣＰ−ＳＤＵ  ＳＮリポートをＳ＿ｅＮＢから受信しなかった場合、ＵＥへの応答メッセージにＰＤＣＰ−ＳＤＵ ＳＮを含めず、ＰＤＣＰ−ＳＤＵ  ＳＮを含むＵＥへのＲＲＣメッセージ、ＲＬＣメッセージ、または、ＭＡＣメッセージを、Ｔ＿ｅＮＢがＰＤＣＰ−ＳＤＵ  ＳＮリポートを受信した直後に送信する。これによって、ＵＥは、ＲＲＣメッセージ、ＲＬＣメッセージ、またはＭＡＣメッセージに含まれるＰＤＣＰ−ＳＤＵ  ＳＮに対応するＰＤＣＰ−ＳＤＵを、再送信キューから廃棄し、再送信キュー内の残りのＰＤＣＰ−ＳＤＵをＴ＿ｅＮＢに再送信する。
【００４７】
図８は、第３実施形態のフローチャートである。
ステップ８０１において、Ｓ＿ｅＮＢがＵＥにハンドオーバー・コマンド・メッセージを送信した後、Ｓ＿ｅＮＢは、ＲＬＣアクノレッジ・メッセージを受信すると、または、所定の時間だけ待機した後に、Ｔ＿ｅＮＢにＰＤＣＰ−ＳＤＵ  ＳＮリポートを送信する。
ステップ８０２において、ＵＥがＴ＿ｅＮＢと同期された後に、Ｔ＿ｅＮＢが、Ｓ＿ｅＮＢからＰＤＣＰ−ＳＤＵ  ＳＮリポートを受信したか否かが判別される。ステップ８０３の分岐は、Ｔ＿ｅｎＢが、Ｓ＿ｅＮＢから送信されたＰＤＣＰ−ＳＤＵ  ＳＮリポートを受信していた場合に実行され、そうでない場合、ステップ８０５の分岐が実行される。
【００４８】
ステップ８０３において、Ｔ＿ｅＮＢは、ＰＤＣＰ−ＳＤＵ  ＳＮを含む同期応答メッセージをＵＥに送信する。
ステップ８０４において、ＵＥは、対応するＡＣＫを受信していないＰＤＣＰ−ＳＤＵＳＮに対応するＰＤＣＰ  ＳＤＵを、ＰＤＣＰ再送信キューから廃棄し、再送信キュー内の残りのＰＤＣＰ−ＳＤＵのみをＴ＿ｅＮＢに再送信する。
ステップ８０５において、Ｔ＿ｅＮＢは、同期応答メッセージをＵＥに送信する。従来の方法と同様に、同期応答メッセージは、ＵＬリソース割当情報及びタイム・アドバンスを含む。
ステップ８０６において、Ｔ＿ｅＮＢは、Ｓ＿ｅＮＢから送信されたＰＤＣＰ−ＳＤＵＳＮリポートを受信する。
ステップ８０７において、Ｔ＿ｅＮＢは、ＰＤＣＰ−ＳＤＵ  ＳＮを含むＲＲＣメッセージ、ＲＬＣメッセージ、または、ＭＡＣメッセージを、ＵＥに直ちに送信する。
ステップ８０８において、ＵＥは、ＲＲＣメッセージ、ＲＬＣメッセージ、または、ＭＡＣメッセージに含まれるＰＤＣＰ−ＳＤＵ  ＳＮに対応するＰＤＣＰ−ＳＤＵを、再送信キューから廃棄し、キュー内の残りのＰＤＣＰ−ＳＤＵのみをＴ＿ｅＮＢに再送信する。
【００４９】
本実施形態では、Ｔ＿ｅＮＢは、ＰＤＣＰ−ＳＮリポートを受信しなかった場合、先行技術に従って、同期応答メッセージをＵＥに送信する。これによって、先行技術との間で良好な互換性を有する。Ｔ＿ｅＮＢは、ＲＲＣメッセージ、ＲＬＣメッセージ、または、ＭＡＣメッセージをＵＥに直ちに送信し、これによって、冗長なＰＤＣＰ−ＳＤＵの再送信の可能性が最低限度に低減し、無線リソースを効果的かつ安価に利用することが可能となる。
【００５０】
図９は、本発明に係るＳ＿ｅＮＢの構成を示すダイアグラムである。このＳ＿ｅＮＢは、Ｔ＿ｅＮＢと通信するＸ２インタフェース・ユニット９０１、及び、ＵＥと通信するＵＥインタフェース・ユニット９０２に加えて、リポート・アセンブリング・ユニット９０３を含んでいる。
【００５１】
リポート・アセンブリング・ユニット９０３は、主として、ＵＥインタフェースユニット８０２で受信されたＰＤＣＰ−ＳＤＵのＳＮを含むＰＤＣＰ−ＳＤＵ  ＳＮリポートをアセンブルするものである。ＰＤＣＰ−ＳＤＵ  ＳＮリポートは、Ｘ２インタフェースユニット９０１を介して、適切なタイミングで（ＲＬＣアクノレッジ・メッセージの受信時、または、リポート・アセンブリング・ユニット９０３が所定の時間だけ待機した後）、Ｔ＿ｅＮＢに送信される。
【００５２】
図１０は、本発明に係るＴ＿ｅＮＢの構成を示すダイアグラムである。このＴ＿ｅＮＢは、Ｓ＿ｅＮＢと通信するＸ２インタフェース・ユニット１００１、及び、ＵＥと通信するＵＥインタフェース・ユニット１００２に加えて、メッセージ・アセンブリング・ユニット１００３を含んでいる。
【００５３】
メッセージ・アセンブリング・ユニット１００３は、主として、Ｓ＿ｅＮＢで受信されたＰＤＣＰ−ＳＤＵ  ＳＮを含むメッセージをアセンブルするものである。従来のＴ＿ｅＮＢの各ユニットの機能をベースとして、Ｘ２インタフェース１００１は、さらに、Ｓ＿ｅＮＢから送信されたＰＤＣＰ−ＳＤＵ  ＳＮリポートを受信するために適しており、このリポートは、Ｓ＿ｅＮＢで受信されたＰＤＣＰ−ＳＤＵ  ＳＮを含むものである。ＵＥインタフェース・ユニット１００２は、さらに、メッセージ・アセンブリング・ユニット１００３によってアセンブルされたメッセージをＵＥに送信するために適している。メッセージ・アセンブリング・ユニット１００３によってアセンブルされるメッセージは、同期応答メッセージ、ＲＲＣメッセージ、ＲＬＣメッセージ、または、ＭＡＣメッセージであってもよい。
【００５４】
図１１は、本発明に係るＵＥの構成を示すダイアグラムである。このＵＥは、Ｓ＿ｅＮＢまたはＴ＿ｅＮＢと通信するｅＮＢインタフェース・ユニット１１０１、及び、ＰＤＣＰ−ＳＤＵが一時格納される再送信キュー１１０２に加えて、メッセージ・パーシング・ユニット１１０３及びキュー調整ユニット１１０４を含んでいる。
【００５５】
ｅＮＢインタフェース・ユニット１１０１は、従来の機能をベースとして、さらに、Ｔ＿ｅＮＢから、Ｓ＿ｅＮＢによって受信されたＰＤＣＰ−ＳＤＵ  ＳＮを示すメッセージを受信するために適している。メッセージ・パーシング・ユニット１１０３は、主として、Ｓ＿ｅＮＢによって受信されたＰＤＣＰ−ＳＤＵ  ＳＮを取得するために、メッセージを構文解析するものである。キュー調整ユニット１１０４は、主として、Ｓ＿ｅＮＢによって受信されたＰＤＣＰ−ＳＤＵ  ＳＮを、再送信キュー１１０２から廃棄するものである。これによって、ｅＮＢインタフェース・ユニット１１０１は、再送信キュー１１０２内の残りのＰＤＣＰ−ＳＤＵを、Ｔ＿ｅＮＢに再送信する。Ｓ＿ｅＮＢによって受信されたＰＤＣＰ−ＳＤＵ  ＳＮを示すメッセージは、同期応答メッセージ、ＲＲＣメッセージ、ＲＬＣメッセージ、または、ＭＡＣメッセージであってもよい。
【００５６】
本発明に係るＳ＿ｅＮＢ、Ｔ＿ｅＮＢ、及び、ＵＥの特定の実装については、上述した本発明に係る方法の実施形態を参照することができるため、重複する説明は省略する。
【００５７】
以上の説明は、単に本発明の好適な実施形態について説明したものである。当業者であれば、本発明の範囲を逸脱することなく様々な変更及び修正を実施することが可能であり、それらは、本発明の保護の範囲に含まれるものである。
【図１】
2010539757.tif 000003
【図２】
2010539757.tif 000004
【図３】
2010539757.tif 000005
【図４】
2010539757.tif 000006
【図５】
2010539757.tif 000007
【図６】
2010539757.tif 000008
【図７】
2010539757.tif 000009
【図８】
2010539757.tif 000010
【図９】
2010539757.tif 000011
【図１０】
2010539757.tif 000012
【図１１】
2010539757.tif 000013
【手続補正書】
【提出日】平成22年5月12日(2010.5.12)
【手続補正１】
【補正対象書類名】明細書
【補正対象項目名】０００４
【補正方法】変更
【補正の内容】
【０００４】
図１を参照すると、先行技術におけるＬＴＥシステムのセル・ハンドオーバーのフローチャートには、主として、次のステップが含まれる。
（１）Ｓ＿ｅＮＢが測定手順でＵＥを構成する。
（２）ＵＥがＳ＿ｅＮＢに測定リポートを送信する。
（３）Ｓ＿ｅＮＢが測定リポートと無線リソースマネージメント（ＲＰＭ）情報に従ってＵＥハンドオーバーを決定する。
（４）Ｓ＿ｅＮＢがＴ＿ｅＮＢにハンドオーバー・リクエストを送信する。
（５）Ｓ＿ｅＮＢからのハンドオーバー・リクエストを受信すると、Ｔ＿ｅＮＢは、受信したＥ−ＲＡＢクオリティ・オブ・サービス（ＱｏＳ）情報に従って、アドミッション制御手順を実行する。
（６）Ｔ＿ｅＮＢがＳ＿ｅＮＢにハンドオーバー・リクエスト・アクノレッジ・メッセージを送信する。
（７）Ｓ＿ｅＮＢがＵＥにハンドオーバー・コマンド・メッセージを送信し、ＵＥに対してハンドオーバーを実行するように指示する。
（８）ＵＥがＴ＿ｅＮＢに同期メッセージを送信する。
（９）Ｔ＿ｅＮＢがＵＥに、ＵＬリソース割当情報、タイム・アドバンス等を含む同期応答メッセージを返信する。
（１０）ＵＥがターゲットセルへのアクセスに成功した後、ＵＥはＴ＿ｅＮＢにハンドオーバー完了アクノレッジ・メッセージを送信する。
【手続補正２】
【補正対象書類名】明細書
【補正対象項目名】００５１
【補正方法】変更
【補正の内容】
【００５１】
リポート・アセンブリング・ユニット９０３は、主として、ＵＥインタフェース・ユニット９０２で受信されたＰＤＣＰ−ＳＤＵのＳＮを含むＰＤＣＰ−ＳＤＵ  ＳＮリポートをアセンブルするものである。ＰＤＣＰ−ＳＤＵ  ＳＮリポートは、Ｘ２インタフェース・ユニット９０１を介して、適切なタイミングで（ＲＬＣアクノレッジ・メッセージの受信時、または、リポート・アセンブリング・ユニット９０３が所定の時間だけ待機した後）、Ｔ＿ｅＮＢに送信される。
【国際調査報告】
2010539757.tif 000014
2010539757.tif 000015
2010539757.tif 000016
2010539757.tif 000017
2010539757.tif 000018
2010539757.tif 000019